Podtech/llm-jp-corpus-v4-ja_patent huggingface dataset:
(57)【要約】      （修正有）【課題】２０１９年度ゴルフルール改正により、浅底対応したゴルフカップ購入による経済的負担も大きく、競技時には正式なホールカップに交換または調整しなければならず時間的、労働的負担である。【解決手段】ゴルフカップ用スペーサーは瞬時に脱着可能で、ゴルフカップ３に装着することによりスペーサー本体１の上面でゴルフボール６が留まり、深くゴルフカップに手を差し込まなくてもゴルフボールを取り上げる事が出来る。発音板付ホールカップにも対応しており、球が転がり込む衝撃でスペーサーが振動し、スペーサー下部に取り付けた金属製の突起２が発音板４を叩き発音する。【選択図】図４
0003234914.tif 000002
【実用新案登録請求の範囲】
【請求項１】
ゴルフプレー時に、旗竿をゴルフカップに挿した状態でボールをゴルフカップ内から拾いやすくする為、ゴルフカップの底付近の内径を小さくすることでボールが転がり込む隙間を無くし、ボールをスペーサー上部の位置に留めることが可能な形状。
【請求項２】
発音板付ゴルフカップへ装着したとき、ゴルフカップ内にボールが入る衝撃でスペーサーが振動することにより、スペーサー下部に３箇所ある金属の突起が発音板に干渉し発音する。
【考案の詳細な説明】
【技術分野】
【０００１】      本考案は、ゴルフカップに関するものである。
【背景技術】
【０００２】      ２０１９年度ゴルフルール改正によりパッティング時に旗竿を抜かないでプレー出来ることとなり、また新型コロナウイルスの影響もあり旗竿に触れないように旗竿をゴルフカップ挿したままカップ内の狭いスペースに手を入れて球を取り出していた為にホール淵の芝が激しく損傷するので、正式競技以外の時は球を拾いやすい浅底のゴルフカップに交換しホール淵の芝の損傷を軽減していた。
【先行技術文献】
【特許文献】
【０００３】
【特許文献１】特開２００２−２６３２２７号公報
【特許文献２】特許６６０４５６３
【特許文献３】実登３２２２４９９
【非特許文献】
【０００４】
【非特許文献１】「ストロング商事株式会社  ＳＴＲＯＮＧ  Ｃａｔａｌｏｇ  ｏｆ  Ｇｏｌｆ  Ｃｏｕｒｓｅ  Ａｃｃｅｓｓｏｒｉｅｓ  ２０２１  ５４ページ
【考案の概要】
【考案が解決しようとする課題】
【０００５】      浅底ゴルフカップ購入による経済的負担も大きく、正式競技時にはゴルフカップを交換または調整しなければならず時間的、労働的負担である。考案のスペーサーをゴルフカップ挿入することにより前途の欠点を瞬時に解決しょうとするものである。
【課題を解決するための手段】
【０００６】      本考案は、ゴルフカップ本体と旗竿との間のゴルフボールが転がり込む隙間を狭めるスペーサーをゴルフカップ内に挿入する事で球が底まで落ち込まずスペーサー上部に留まり、且つ、ゴルフカップ内径よりスペーサー外径を２ｍｍ程度小さくし、球がゴルフカップに転がり込む衝撃でスペーサーが振動しスペーサー下部の金属の突起がゴルフカップの発音板を叩き発音させる。
【考案の効果】
【０００７】      上述の様に、ゴルフカップ内に深く手を差し込まずに球を取り出す事ができるようになりホール淵の芝の損傷を軽減でき、且つ、球がゴルフカップ内に転がり込んだ時に発音効果が期待できるものが瞬時に脱着できる。
【図面の簡単な説明】
【０００８】
【図１】本考案のスペーサーの正面図である。
【図２】本スペーサーの上方図である。
【図３】本スペーサーの下方図である。
【図４】本スペーサーをゴルフカップに装着した状態の縦断面図である。
【考案を実施するための形態】
【０００９】  本考案のスペーサーを金属の突起側を下にゴルフカップ内にセットする。
【実施例】
【００１０】  以下、添付図面に従って一実施例を説明する。１は耐久性のある塩化ビニール等適宜素材にて形成されたスペーサー本体、３はゴルフカップ、５は旗竿、６はゴルフボールである。スペーサーと旗竿の隙間よりゴルフボールの外径が大きいのでスペーサーの上部でゴルフボールは留まり、深くゴルフカップに手を差し込まなくてもゴルフボールを取り上げる事が出来る。【００１１】  ２はスペーサー底面に取り付けたステンレス製の突起で、４はゴルフカップの発音板である。ボールが転がり込んだ衝撃でスペーサーが振動しステンレス製の突起が発音板と干渉し音を発する。【００１２】  ５旗竿を３ゴルフカップから抜き、１スペーサーを脱着することで正式競技に対応ゴルフカップから浅底ゴルフカップへ、またその逆へも瞬時に対応できる。
【符号の説明】
【００１３】１  スペーサー本体
２  ステンレス製突起
３  ゴルフカップ
４  ゴルフカップ付属の発音板
５  旗竿
６  ゴルフボール
【図１】
0003234914.tif 000003
【図２】
0003234914.tif 000004
【図３】
0003234914.tif 000005
【図４】
0003234914.tif 000006
【手続補正書】
【提出日】令和3年8月11日(2021.8.11)
【手続補正１】
【補正対象書類名】実用新案登録請求の範囲
【補正対象項目名】請求項２
【補正方法】変更
【補正の内容】
【請求項２】
発音板付ゴルフカップへ装着したとき、ゴルフカップ内にボールが入る衝撃でスペーサーが振動することにより、スペーサー下部に３箇所ある金属の突起がゴルフカップ発音板に干渉し発音することを特徴とするゴルフカップ用スペーサー。
(57)【要約】      （修正有）【課題】劣化による変色を生じにくい、感染防止機能を有するカトラリーを提供する。【解決手段】Ｌアスコルビン酸を配合した柿渋エキスを植物由来材料から成るカトラリー本体１１に含浸させて成る。植物由来材料は竹製または木製であり、カトラリー本体は箸部１２と頭部１３から成ることが好ましい。Ｌアスコルビン酸を配合した柿渋エキスの含浸処理は高圧含浸装置で行い、次に、ローラコーター機を通し、その直後に加熱水蒸気装置で瞬間乾燥して仕上げることができる。【選択図】図１
0003234920.tif 000002
【実用新案登録請求の範囲】
【請求項１】
Lアスコルビン酸を配合した柿渋エキスを植物由来材料から成るカトラリー本体に含浸させて成ることを特徴とする感染防止機能を有するカトラリー。
【請求項２】
前記植物由来材料は竹製または木製であり、前記カトラリー本体は箸本体から成ることを特徴とする請求項１記載の感染防止機能を有するカトラリー。
【考案の詳細な説明】
【技術分野】
【０００１】
本考案は、細菌やウイルスなどからの感染防止機能を有するカトラリーに関する。
【背景技術】
【０００２】
従来、水溶性柿渋成分を材料表面に付着させる工程を有し、柿渋を用いて容易に抗菌性等を付与することができる材料表面処理方法が知られている（例えば、特許文献１参照）。
【先行技術文献】
【特許文献】
【０００３】
【特許文献１】特開２０１２−１８０６１３号公報
【考案の概要】
【考案が解決しようとする課題】
【０００４】
しかしながら、特許文献１に記載の材料表面処理方法を用いて、柿渋エキスを竹製または木製のカトラリーに塗布した場合、数日で劣化して濃茶色に変色しやすいという課題があった。
【０００５】
本考案は、このような課題に着目してなされたもので、劣化による変色を生じにくい、感染防止機能を有するカトラリーを提供することを目的とする。
【課題を解決するための手段】
【０００６】
上記目的を達成するために、本考案に係る感染防止機能を有するカトラリーは、Lアスコルビン酸を配合した柿渋エキスを植物由来材料から成るカトラリー本体に含浸させて成ることを特徴とする。
本考案に係る感染防止機能を有するカトラリーは、Lアスコルビン酸を配合した柿渋エキスを含浸させてあるため、劣化による変色を生じにくい。Lアスコルビン酸の配合により、抗ウイルス効果を高めることもできる。
【０００７】
本考案に係る感染防止機能を有するカトラリーにおいて、前記植物由来材料は竹製または木製であり、前記カトラリー本体は箸本体から成ることが好ましい。
Lアスコルビン酸を配合した柿渋エキスの含浸処理は高圧含浸装置で行い、次に、ローラコーター機を通し、その直後に加熱水蒸気装置で瞬間乾燥して仕上げることが好ましい。
カトラリーは、箸のほか、ナイフ、フォーク、スプーンであってもよい。植物由来材料は、竹製、木製のほか、ヨシなどから成っていてもよい。
【考案の効果】
【０００８】
本考案によれば、劣化による変色を生じにくい、感染防止機能を有するカトラリーを提供することができる。
【図面の簡単な説明】
【０００９】
【図１】本考案の実施の形態の感染防止機能を有するカトラリーを示す正面図である。
【考案を実施するための形態】
【００１０】
以下、図面に基づき、本考案の実施の形態について説明する。
図１は、本考案の実施の形態の感染防止機能を有するカトラリーを示している。
カトラリー１は、カトラリー本体１１に、Lアスコルビン酸を配合した柿渋エキスを含浸させて成っている。カトラリー１は、箸、ナイフ、フォーク、スプーンのいずれであってもよいが、箸の例で以下、説明する。
【００１１】
カトラリー本体１１は、植物由来材料から成り、例えば、竹製または木製の箸本体から成る。箸本体は、割り箸であって、１対の箸部１２の各頭部１３が互いに結合して成っている。各箸部１２は、先端が徐々に細くなっている。柿渋エキスは、市販のものを原液でまたは希釈して用いることができる。Lアスコルビン酸の柿渋エキスに対する配合量は適宜、調整可能であるが、柿渋エキスを原液で使用する場合、全体量の１〜２０重量％が好ましい。Lアスコルビン酸の配合量を調整することにより、カトラリー１の色の濃淡を調整することもできる。すなわち、Lアスコルビン酸の配合量を多くした場合、カトラリー１の色をより淡色とすることができる。
Lアスコルビン酸を配合した柿渋エキスの含浸処理は高圧含浸装置で行い、次に、ローラコーター機を通し、その直後に加熱水蒸気装置で瞬間乾燥して仕上げることができる。
【００１２】
感染防止機能を有するカトラリー１は、食事の際に使用することにより、抗菌、抗ウイルス作用で感染症にかかりにくくすることができる。カトラリー１は、Lアスコルビン酸を配合した柿渋エキスを含浸させてあるため、劣化による変色を生じにくい。このため、商品価値を高く維持することができる。また、Lアスコルビン酸の配合により、抗ウイルス効果を高めることもできる。
【符号の説明】
【００１３】
１  カトラリー
１１  カトラリー本体
１２  箸部
１３  頭部
【図１】
0003234920.tif 000003
(57)【要約】      （修正有）【課題】マスクをしないで会食を可能にする、安価で入手可能な部材で構成した頭巾型フェイスカバーを提供する。【解決手段】頭から被り胸から上を覆う鍔付きの頭巾型フェイスカバーで、顔とフェイスカバーとの間に空間を確保し、会食事にマスクを使用せずとも飛沫の拡散と吸込みを防止する。【選択図】図１
0003234456.tif 000002
【実用新案登録請求の範囲】
【請求項１】
前面部のビニールシート等の透明な素材と背面の布もしくは不織布等の動きやすい素材を、接着もしくは縫い合わせて装着時に額に当たる箇所に鍔の機能を保有させて顔と前面部との間に空間を確保した、頭から胸部までの上半身を覆う頭巾型フェイスカバー
【請求項２】
上記請求項１において、帽子の鍔に相当する機能を保有させないで、既存の鍔付き帽子等に被せることで顔と前面部との間に空間を確保する頭巾型フェイスカバー
【考案の詳細な説明】
【技術分野】
【０００１】    本考案は、感染症対策における飛沫の吐出しと吸込みの防止を目的に、前面を透明素材、背面を身体にそぐう布や不織布等で作成した、身体の頭から胸部までの上半身を覆う頭巾型のフェイスカバーである。
【背景技術】
【０００２】    新型コロナウィルス感染症では、対面での会話や食事の際の感染防止策が大きな課題であり、その主な対策はマスク着用やアクリル板設置であるが、現実としては多人数での会食は制限され、飲食店の利用は敬遠され、大切な会議や式典も自粛されている。
【先行技術文献】
【特許文献】
【０００３】
【特許文献１】特開２００３−００８０７０公報
【非特許文献１】株式会社カーボーイ  カタログ「新型コロナウィルス対策ツール  Ｎｏ．９」Ｐ．６
【考案の概要】
【考案が解決しようとする課題】
【０００５】    しかしながら、会食事に食べ物を口に運ぶ都度マスクの脱着を徹底することは難しく、現実的ではない。また、アクリル板は上方向や横方向からの飛沫の流入を遮断することができない。顔の前面を広範囲に覆うフェイスカバーは既に存在しているが、着用した状態での会食は困難なものであり、横方向からの飛沫流入の課題も解決できていない。
【課題を解決するための手段】
【０００６】    本考案は、頭から被り胸から上を覆う頭巾型のフェイスカバーであり、額部分に鍔があることで顔とフェイスカバーとの間に空間を確保し、フェイスカバーを着用したままで食事動作を可能とする。さらに、頭から胸までを覆っていることで、外部への飛沫の拡散を抑えると共に、外部からフェイスカバー内への飛沫の流入も防止して課題を解決している。頭巾型フェイスカバーの鍔の機能に関しては、それ自体を無くし、既存の鍔付き帽子等に被せて代替することも可能。
【考案の効果】
【０００７】    本考案の頭巾型フェイカバーは使い捨てが可能であり、材料はホームセンター等で一般に入手可能な安価な材料で作成ができるため、飲食業や介護施設の食事等、幅広い会食の場で感染防止に役立つ。また、会食時だけでなくイベントや集会等の人が集まる場での使用も有効であり、マスクと併用すればより高い感染防止効果が期待できる。なお、本考案の試作品を着用して外からタバコの煙を吹きかける検証を行い、着用者がタバコの匂いを感じなかったことを確認している。
【図面の簡単な説明】
【０００８】
【図１】本考案フード型フェイスシールドの正面図（写真代用）
【図２】本考案フード型フェイスシールドの側面図（写真代用）
【図３】本考案フード型フェイスシールドの部品図
【考案を実施するための形態】
【０００９】    図１は鍔付きの帽子に本考案フード型フェイスシールドを取付けた全体のイメージである。フード型フェイスシールドは前面部の透明部材１、被り易くするためにギャザー或いはタックを施した背面の部材２からなる。透明部材１と部材２とを縫い合わせる。
【実施例】
【００１０】    以下、添付図３に従って実施例を説明する。１はビニールシート等の透明な部材、２は布あるいは不織布等の身体にそぐう素材を用い、被った状態での動きやすさを確保する。３はギャザー或いはタックを施しゴム紐等を通して縮める。７はビニールシートの淵に沿って細いワイヤー等で補強して全面の空間を確保する。８は額に接触する箇所でワイヤー或いは厚みを持った柔らかい部材を固定して鍔の機能を持たせる。１と２各々の４を重ね、各々の太線部分の５どうし、各々の太線部分の６どうしを接着あるいは縫い合わせる。図中に表記したサイズは例であり、使用者の体格に応じて変えて作成する。【００１１】    ３を鍔付き帽子の頭頂部に両面テープ等で固定する。
【符号の説明】
【００１２】１  フード型フェイスシールド前面部材
２  フード型フェイスシールド背面部材
３  ギャザー或いはタックの部分
４  接着あるいは縫い合わせる際の基準点
５  接着あるいは縫い合わせる箇所
６  接着あるいは縫い合わせる箇所
７  ビニールシートの淵に沿って細いワイヤー等で補強する箇所
８  鍔になる部材
【図１】
0003234456.tif 000003
【図２】
0003234456.tif 000004
【図３】
0003234456.tif 000005
【手続補正書】
【提出日】令和3年7月9日(2021.7.9)
【手続補正１】
【補正対象書類名】実用新案登録請求の範囲
【補正対象項目名】全文
【補正方法】変更
【補正の内容】
【実用新案登録請求の範囲】
【請求項１】
前面部のビニールシートを用いた透明な素材と背面の布もしくは不織布を用いた動きやすい素材を接着もしくは縫い合わせて、装着時に額に当たる箇所には鍔の機能を保有させて顔と前面部との間に空間を確保した、頭から胸部までの上半身を覆う頭巾型フェイスカバー。
この鍔は幅約３０ｃｍ長さ約２０ｃｍの厚紙で形成し、頭部と固定するために額に当たる側の厚紙の長辺にスポンジとバンド型のゴム紐を接着し、鍔の前方先端部分は前面部の透明な素材と接着する。
【請求項２】
上記請求項１において、鍔の機能を保有させないで、既存の鍔付き帽子、或いはサンバイザーに被せることで顔と前面部との間に空間を確保する頭巾型フェイスカバー。
(57)【要約】      （修正有）【課題】腕への装着と脱着が簡単な三角腕抜きを提供する。【解決方法】撥水加工布で円筒形に縫い合わせ、手首を差し込む入口部分４については服の袖口が簡単に入る位幅広く輪状にして、輪状の部分は１ｃｍ程度折りたたみ縫い合わせて厚みのある輪状にする。手を出す部分２についてはゴム製品等を装着し、水が入らないように締め付ける。撥水加工布の裏地に防水布を浸みこまないように縫い合わせる。手首を差し込む部分から出す部分方向に１ｃｍ幅程度の芯地を数本縫い合わせる事により、入口部分から出口の部分にかけてのたるみ等を防ぐ。本考案品の長さは腕の肘関節と手首の中間程の短い構造とする。【選択図】図２
0003234460.tif 000002
【実用新案登録請求の範囲】
【請求項１】
洗顔時に水で顔を洗う際に水が垂れ流れて服の腕の袖口にかかり袖口が水濡れすることが有り水濡れを防ぐための物である。従来の腕抜きは手首を入れる部分と出す部分にゴム製品等が付いていて腕に装着と脱着が面倒である事を解決するものである。
本発明品は手首を入れる入口部分については服の袖口が簡単に入る位幅広く布を厚めに軽く輪になるように作り、締め付けるゴム製品等は使用しない事を特徴とする。
手を出す部分についてはゴム製品を入れて水が入らないように締め付けるものであり、本製品の長さは腕の肘関節と手首の中間程の短めである事と厚めの防水布（撥水加工布）を使用又は布の裏側に芯地を入れる事等でたるみ等は生じない事を特徴とする。
【考案の詳細な説明】
【図面の簡単な説明】
【図１】顔を洗う図  符号１  簡易三角腕抜き  符号２  手首を入れる部分  符号３  手首部分にゴム製品
【図２】簡易三角腕抜き  符号１  二重布部分（厚め）  符号２  ゴム部分  符号３  芯地  符号４  手首の差し込み口
【図３】右腕全体図  符号１  簡易三角腕抜き  符号２  肘部分  符号３  上腕部
【図１】
0003234460.tif 000003
【図２】
0003234460.tif 000004
【図３】
0003234460.tif 000005
【手続補正書】
【提出日】令和3年7月1日(2021.7.1)
【手続補正１】
【補正対象書類名】実用新案登録請求の範囲
【補正対象項目名】全文
【補正方法】変更
【補正の内容】
【実用新案登録請求の範囲】
【請求項１】
本発明品は撥水加工布（厚い布）で円筒形に縫い合わせ手首を差し込む入口部分については服の袖口が簡単に入る位幅広く輪状にして輪状の部分は１ｃｍ程度折りたたみ縫い合わせて厚みのある輪状にするこの部分については締め付ける、ゴム製品等は使用しない事を特徴とするものである。手を出す部分についてはゴム製品等を装着、水が入らないように締め付ける。撥水生地の裏地に防水布（薄い）を浸みこまないに縫い合わせる。手首を差し込む部分から出す部分方向に１ｃｍ幅程度の芯地を数本縫い合わせる事により入口部分から出口の部分にかけてのたるみ等を防ぐものである。本製品の長さは腕の肘関節と手首の中間程の短い構造を有する三角腕腕抜き（三角腕カバー）
【手続補正２】
【補正対象書類名】明細書
【補正対象項目名】全文
【補正方法】変更
【補正の内容】
【考案の詳細な説明】
洗顔時に水で顔を洗う際に水が垂れ流れて服の袖口に水がかかりの水濡れを防ぐ為のものである。
従来の腕抜きは手首を差し込む所（入口）と出す部分（出口）にゴム製品等が付いていて腕に装着と脱着が面倒である事を解決するものである、厚い生地で入り口部分が広い構造である事により装着、脱着がかんたんである。
【図面の簡単な説明】
【図１】顔を洗う図  符号１  簡易三角腕抜き  符号２  手首を入れる部分  符号３  手首部分にゴム製品
【図２】簡易三角腕抜き  符号１  二重布部分（厚め）  符号２  ゴム部分  符号３  芯地  符号４  手首の差し込み口
【図３】右腕全体図  符号１  簡易三角腕抜き  符号２  肘部分  符号３  上腕部
(57)【要約】      （修正有）【課題】Ｓ字型フックを木の枝や雨樋等の高所に設置する時、梯子ややぐらを組む厄介さ無しに設置できる高所設置用フックを提供する。【解決手段】略Ｓ字状フック体の上半片１と下半片２との中間に、湾径の中心から遠ざかる斜め下方へ伸びる突起片の設置補助ブランチ５ａを設けた。【選択図】図１
0003234454.tif 000002
【実用新案登録請求の範囲】
【請求項１】
略Ｓ字状フック体の長さ中間点近くの上半片の背に於いて、湾径の中心から遠ざかる水平方向より以下の下方斜め方向へ枝状に伸びる突起片、即ち設置補助ブランチを設けてあることを特徴とする高所設置用フック。
【請求項２】
設置補助ブランチが、下半片の背の下端において、垂下方向へ設けてあることを特徴とする請求項１に記載の高所設置用フック。
【請求項３】
設置補助ブランチが、上半片の背と下半片の背の下端との二ヶ所に併せ設けてある事を特徴とする、請求項１及び請求項２に記載の高所設置用フック。
【考案の詳細な説明】
【技術分野】
【０００１】  高所にも設置し易いフックに関するものである。
【背景技術】
【０００２】従来、何かを掛け留めるためのフック体（最も多用されるのはＳ字状）を高所に設置しようとする時は、長い梯子を用いたり、わざわざそのための足場を組んだりして来た。
【考案の概要】
【考案が解決しようとする課題】
【０００３】  持ち運ぶだけでも厄介な梯子だが、作業現場の地形の傾きやデコボコで梯子の足元が不安定な場合は使えない。そこで長いパイプの先にＳ字状フック体（以下フック体とする）を取り付けて高所の的所に引っ掛けてパイプを抜くことを考えるが、そもそもフック体にそのような事態を想定した取付け用部位がないので、パイプの先に取り付けることが無理である。にわかに工夫して何とかパイプの先に取付け、高所の的所にフック体を引っ掛けることができたとしても、パイプを抜き外した途端にフック体は自ずと縦Ｓ字に吊り下がる形となり、的所からフック体を外そうとパイプを下から伸ばしても、角度的にパイプの口に差込むことが困難であり、フック体を取り外せなくなってしまう。
【課題を解決するための手段】
【０００４】  略Ｓ字状のフック体を吊り下げた状態に於いて、上下の長さの凡その中間点を境に、上半片及び下半片と呼称し、上半片と下半片は、当然に共に湾状を成し、湾口の開放方向は相反的であるが、湾径の大きさと形状は、相互に同一か異なるかは問わず、また湾口に対面する内壁側を腹、その反対側を背と呼称して、以下説明する。
フック体中間点近くの上半片の背に於いて、湾径の中心から遠ざかる水平方向より以下の下方斜め方向へ枝状に伸びる突起片、即ち設置補助ブランチを設けてある。
この設置補助ブランチは、下半片の背の下端に於いて垂下させて設けてあれば、場合によっては、より効果的でもあり得る。
以上を特徴とする高所設置用フックである。
【考案の効果】）【０００５】  どのようなＳ字フック体であろうと、設置補助ブランチが設けてあれば、高い木の枝や屋根の雨樋など、高所の引っ掛けやすい箇所に、鯉のぼりやイルミネーション等を掛け留めたい時に、特別のやぐらや柱や梯子や足場等を手間かけて設置せずとも、ちょっと細長いパイプさえあれば、何の危険や厄介な思いをすることなく、大賞箇所の下から一人で簡単に掛け留め−掛け外しができる。
【図面の簡単な説明】
【０００６】
【図１】  本考案の正面図
【図２】  本考案の別の実施形態を示す正面図
【図３】  図１に示された本考案の使用例を示した正面図
【図４】  本考案の更に別の実施形態を示した正面図
【考案を実施するための形態】
【０００７】  以下、本考案の構成を図面に添って再確認しつつ、その具体的な使用方法、実施の形態について説明する。
略Ｓ字状のフック体を吊り下げた状態に於いて、上半片（１）と下半片（２）は、当然に共に湾状を成し、湾口（６）の開放方向は相反的であるが、湾径の大きさと形状は、相互に同一か異なるかは問わず、また湾口（６）に対面する内壁側を腹（３）、その反対側を背（４）と呼称するのであるが、
フック体中間点近くの上半片（１）の背（４）に於いて、湾径の中心から遠ざかる水平方向より以下の下方斜め方向へ枝状に伸びる突起片、即ち設置補助ブランチ（５ａ）を設けてある（図１参照）。
この設置補助ブランチ（５ｂ）は、下半片の背の下端に於いて垂下させて設けてあれば、場合によっては、より効果的でもあり得る（図２参照）。
本考案は以上の様な構成であり、以下その具体的な使用例と実施の形態を説明する。
これを使用する時は、ロープ（Ｂ）を通した滑車（Ａ）を下半片（２）に掛吊るし、長いパイプ（Ｃ）の先端口に設置補助ブランチ（５）を差し込み、下から滑車（Ａ）諸共に上方に持ち上げ、高所の木の枝や雨樋等の的所に狙い定めて上半片（１）の先端を掛け留める。掛け留ったことを確認したら、設置補助ブランチ（５）からパイプ（Ｃ）を抜き外す。適所に鯉のぼりやイルミネーションを括りつけられたロープ（Ｂ）は、滑車（Ａ）で高所へ引っ張り上げられる。
パイプ（Ｃ）の先端口は略ロート状に広がっており、設置補助ブランチ（５）に苦も無く差し込み−抜き外しできる。この一連の作業の中には、梯子の様な危険さも、やぐらや足場を組む厄介な手間も、何一つ無用である。
尚、設置補助ブランチ（５）は、図１の様に上半片（１）の背（４）に斜め下方向きに設けてあるか、図２の様に下半片（２）の下端に垂下させて設けてあるかは、各々別々の単体として表われるか、図４に示された様に一つのフック体に同居させた形で表われるか、に拘束される必要はない。
【符号の説明】
【０００８】１    上半片
２    下半片
３    腹
４    背
５    設置補助ブランチ
５ａ  設置補助ブランチ
５ｂ  設置補助ブランチ
６    湾口
Ａ    滑車
Ｂ    ロープ
Ｃ    パイプ
【図１】
0003234454.tif 000003
【図２】
0003234454.tif 000004
【図３】
0003234454.tif 000005
【図４】
0003234454.tif 000006
【手続補正書】
【提出日】令和2年3月11日(2020.3.11)
【手続補正１】
【補正対象書類名】実用新案登録請求の範囲
【補正対象項目名】請求項３
【補正方法】変更
【補正の内容】
【請求項３】
設置補助ブランチが、上半片の背と下半片の背の下端との二ヶ所に併せ設けてある事を特徴とする、請求項１又は請求項２に記載の高所設置用フック
(57)【要約】      （修正有）【課題】簡単な構造で増設も容易に行え、電気工事が不要で安価な自動ソーラー温風機を提供する。【解決手段】自動ソーラー温風機は、断熱材１で囲まれ、天板４が透明な箱型容器の底に吸熱材２を張り、吸熱材２を太陽光で暖め、吸入口５から排出口６までの間を仕切り板３にて蛇行させ、ソーラーファン７にて自動送風する。断熱材１と吸熱材２、太陽光を透過可能な透明板と迷路の様な密閉された空間を長く移動させることで面積当たりの熱変換を効率的に行い、太陽光で冬場の暖房補助を行う。【選択図】図１
0003234458.tif 000002
【実用新案登録請求の範囲】
【請求項１】
太陽光を利用し限られたスペースで高効率の熱変換を行い、ソーラー送風機と組み合わせる事で自動運転を可能とするとともに、複数ユニットを簡単に接続することにより、小容量から大容量まで設置場所のスペースに合わせた設置を可能とする。
【考案の詳細な説明】
【技術分野】
【０００１】  本考案は、太陽光を利用した温風を自動的に送風する為の機械に関連するものである。
【背景技術】
【０００２】  家屋等において屋根、壁等の場所は冬場でも晴れた日には太陽光を授与できる場所であり、効果的に集熱し屋内に取り込むことで暖房補助として機能する
【考案の概要】
【考案が解決しようとする課題】
【０００３】  太陽光を利用した装置にはソーラー発電、ソーラー蓄熱等の比較的高額な商品もあるが、初期投資やメンテ費用を考慮すると購入者の負担が大きい。また既に完成した住居等に設置する場合には設置費用負担が大きい等の課題がある。
簡単な仕組みで効率的なソーラー送風機は新規（新築）や既存住居へ負担が少なく設置が可能であり前述の課題を解決しようとするものである。
【課題を解決するための手段】
【０００４】  本考案は、断熱性の高い素材で太陽光により発熱する素材を密閉し温め、媒体として空気を高温に温めたのちに排出するものである。暖められた空気は太陽光により発電された小型のモーターファンを使い送風する。太陽光が十分に当たる時は温められた温風を送風する。十分な太陽光が当たらなければモータファンは停止し送風を止める。限られたスペースで十分な熱変換を行う為に媒体の空気が移動する区間を密閉した空間で区切りより多く長い時間太陽光で温められるように配置する事で実現する。
【考案の効果】
【０００５】  上述の様に、本考案の太陽光により温められた密閉された経路を空気が移動することで外気温が低い場合でも、十分な太陽光が当たる場合には連続的に暖められた送風を行うことができる。
【図面の簡単な説明】
【０００６】
【図１】本考案の、ソーラー送風機の実施例を示す正面図である。
【図２】ソーラー送風機の一部切欠断面図である。
【考案を実施するための形態】
【０００７】  ソーラー送風機本体下部の外気取り入れ口より入った空気が密閉された区間を上部に向かって進むことで暖められ、ソーラーファンによりパネル外部へ送風される。太陽光の受け具合により熱量が大きい場合は空気の流速が早くなり、太陽光の熱量が少ない場合にはファンの流速が遅くなり自動的に平均的な温度で送風される。密閉された各区画はチドリ配置で上部への通り穴がありパネル内を蛇行しながら上部区画へ移動する。
【実施例】
【０００８】  以下、添付図面に従って一実施例を説明する。１は断熱性に優れた素材にて形成されたカバー、２は太陽光で暖められる金属製の素材で表面は太陽光を吸収し易い素材で黒色の塗装をする。３は空気の通り道を区切る透明な素材で左右どちらかに上部区画へ抜ける空気道の穴が開いている。４は透明で密閉するための板状のアクリル板等のカバー。５は吸入口、６は排出口
【符号の説明】
【０００９】１  断熱材
２  吸熱材
３  区切り板
４  天板
５  吸入口
６  排出口
７  ソーラーファン
【図１】
0003234458.tif 000003
【図２】
0003234458.tif 000004
【手続補正書】
【提出日】令和3年7月1日(2021.7.1)
【手続補正１】
【補正対象書類名】実用新案登録請求の範囲
【補正対象項目名】全文
【補正方法】変更
【補正の内容】
【実用新案登録請求の範囲】
【請求項１】
断熱材で囲まれ天板が透明な箱型容器の底に吸熱材を張り、吸熱材を太陽光で暖め吸入口から排出口までの間を仕切り板にて蛇行させる事で集熱効果を高めソーラーファンにて自動送風することを特徴とする自動ソーラー温風機
(57)【要約】      （修正有）【課題】神社、仏閣などの参拝時の、御朱印と授与品や写真を、管理、保管する負担を軽減する、ポケット付き御朱印帳を提供する。【解決手段】御朱印帳１の見開きごとに、片面のページに、透明または不透明なポケット２を有するようにし、保管・管理の問題点を解決できるようにするものである。【選択図】図３
0003234423.tif 000002
【実用新案登録請求の範囲】
【請求項１】
蛇腹または冊子形御朱印帳複数ページのいずれか片面に透明または不透明のポケットを設け、中に写真や御朱印紙、おふだなどを入れることができる、ポケットを設けたことを特徴とする、御朱印帳。
【考案の詳細な説明】
【技術分野】
【０００１】本考案は、御朱印帳の見開きのページの片面のいずれか片面にポケットを、設けた御朱印帳である。
【背景技術】
【０００２】神社、仏閣などで参拝の際、授与される御朱印とは別に、お守りや、お札、記念写真などは別の方法で保管、管理していた。
【先行技術文献】
【特許文献】
【０００３】
【特許文献１】実用新案登録第３２２３８３９号
【考案の概要】
【考案が解決しようとする課題】
【０００４】参拝時の、御朱印と授与品や写真が一致せず、管理、保管など負担が大きく、解決できるように、したものである。
【課題を解決するための手段】
【０００５】見開きごとに、透明または不透明なポケットを有することにより、保管しやすく、前述の問題点を解決できるようにするものである。
【考案の効果】
【０００６】このポケット付き御朱印帳により、保管の不便さを解消し、さらに写真なども同時に入れることで、過去の記憶を、思い出すことで、使用者の楽しみを、増すことができるようになっている。
【図面の簡単な説明】
【０００７】
【図１】本考案の実施形態を示す図である。
【図２】御朱印帳の見開きを示す図である。
【図３】ポケット部を説明している図である。
【考案を実施するための形態】
【０００８】図１及び図２で示すように、御朱印帳の、見開きページの片面に透明または、不透明の袋状のポケットを接着した。
【０００９】表紙５、裏表紙４は若干小さく蛇腹状に折った台紙６を２枚接合されたもので構成されている。
【００１０】御朱印帳の裏面にも、同じ構成によって表裏どちらでも、使用することが、可能である。
【実施例】
【００１１】以下の図３で、示すように、ポケットには、書置き、お札や写真などを入れることが可能である。よって必要な時には、取り出すことも可能な、仕様に、なっている。
【産業上の利用可能性】
【０００９】御朱印帳のみに限定することなく、スタンプ（駅や観光地などに設置されている記念スタンプ等）と写真や資料と同時に保管管理できるスタンプ帳としての利用も可能であるまた有名人等のサインと写真といった、多岐にわたった、利用方法も考えることができる。
【符号の説明】１・・御朱印帳、２・・ポケット部、３・・複数ページ、４・・裏表紙
５・・表紙、６・・御朱印記入ページ
【図１】
0003234423.tif 000003
【図２】
0003234423.tif 000004
【図３】
0003234423.tif 000005
(57)【要約】      （修正有）【課題】本体（円筒）に内蔵する付属の樹脂パイプ帯を巻き込み腰当てクッションとしたり、本体に巻き付け自在な形態の枕とする、ドライブ用腰当てクッション兼簡易枕を提供する。【解決手段】弾力性に富んだ素材での本体に内蔵の簾状樹脂パイプ帯を幾重かに巻いて腰当てクッションや、休息、就寝用の簡易枕として、独自の形態に構成して活用をするもので、通気性が良く、軽量でコンパクトな収納ができて取扱いの容易なものである。【選択図】図２
0003234438.tif 000002
【実用新案登録請求の範囲】
【請求項１】
本体（円筒）に内蔵する、付属の樹脂パイプ帯を幾重かに巻きクッションとしたり、本体の胴部に巻き付け自在な形態の枕とし活用ができることを特徴とする、ドライブ用腰当てクッション兼簡易枕。
【請求項２】
請求項１記載の本体は、弾力性に富んだ素材で、部分的に弾力の調整と通気孔の両用を兼ねた大〜小の孔が、設けられていることを特徴とする、ドライブ用腰当てクッション兼簡易枕。
【請求項３】
請求項１記載の本体に付属の樹脂パイプ帯は、メッシュ布地をベースシートとし、樹脂パイプを簾状に連ね貼り合わせたもので、パイプには無数の小さな通気孔が施されていることを特徴とする、ドライブ用腰当てクッション兼簡易枕。
【請求項４】
請求項１記載の本体及び、付属の樹脂パイプ帯はそれぞれがパイプ仕様により、弾力性に富み通気性も良く、軽量でコンパクトな収納ができることを特徴とする、ドライブ用腰当てクッション兼簡易枕。
【考案の詳細な説明】
【技術分野】
【０００１】この考案は、本体の円筒に内蔵する付属の簾状樹脂パイプ帯を、幾重かに巻き込みクッションや簡易な枕とする。ドライブ用腰当てクッション兼簡易枕に関するものである。
【背景技術】
【０００２】長距離ドライブにおいて、運転座席と腰部との密着度の不具合による腰にかかる負荷や、アウトドアでの休息、就寝に用いる枕としての代物に案外、難儀をするものである。しかしこれら二つの問題点を解決できる手軽な商品が現市場には見当たらない。
【考案の概要】
【考案が解決しようとする課題】
【０００３】、
ドライブ中の腰痛軽減に対応するクッション、並びに就寝用枕としても活用可能な両役を、簡易に果たす取扱いの容易な用品を目的とした。
【課題を解決するための手段】
【０００４】本体とする円筒内に収納の樹脂パイプ帯を取り出し、腰当てクッションとして利用の場合、パイプ帯を腰と座席間の程良い密着度合いまで巻き込む調整をして使用。簡易枕としての活用においては、本体（円筒）にパイプ帯を巻き付け大の輪にし、これにパイプ帯のもう一端から巻き込んだ小の輪とでジョイントした構成とし、頭部、首部にフィットする枕としての用途となる。
【考案の効果】
【０００５】腰当てクッション、簡易枕、これら二つの用途が兼用で果たせるこの構成は、すべてパイプ仕様なので比較的軽量でコンパクトに収納でき、機能性、衛生面も含め必需な利用効果が考えられる。
【図面の簡単な説明】
【０００６】
【図１】  本考案のドライブ用腰当てクッション兼簡易枕の平面、立面図である。
【図２】  本ドライブ用腰当てクッション兼簡易枕の実施斜視図である。
【考案を実施するための形態】
【０００７】本考案は［図１］で示すように本体（円筒）が１の素材で、全面に弾力調整と通気を兼ねた大〜小の孔を、中心から外心部へと密度の変化を計って設け配されている。
１に付属の樹脂パイプ帯は、メッシュ布地３をベースシートとし２を簾状に連ねて貼り合わせた帯で、２にはムレ防止の通気孔として無数の小さな孔の細工を施している。
腰当てクッションとして活用の場合、１から樹脂パイプ帯を取り出し、座席と腰との隙間に応じた形成をして巻き込み５で固定する。簡易枕として活用の場合、取り出した樹脂パイプ帯の４を１のホールに止めて巻き付け、これにもう一端から巻き込んだ小の輪とを５でジョイント。大・小、二つの輪で構成した独自の形態とする。
【実施例１】
【０００８】長距離ドライブ時の腰痛軽減に、自在な大〜小の輪による構成が可能なので、独自の躰に合った形態の腰当てクッション確保が望める。
【実施例２】
【０００９】アウトドアでの休息や就寝時の簡易枕として利用の場合、パイプ仕様ならではの弾力性と通気孔を兼ねた細工により、中心部が深く沈み込んで頭、首部にフィットした安定ある簡易枕としての活用を成す。
【実施例３】
【００１０】樹脂パイプ帯は、メッシュ布地面と樹脂パイプ面のリバーシブルでの活用が可能で、夏場などは、密着度の浅い樹脂パイプ面にすることでの爽快な触感が得れるメリットがある。
【符号の説明】
【００１１】１  硬質ゴム
２  樹脂パイプ
３  メッシュ布地
４  止め球
５  固定ピン
【図１】
0003234438.tif 000003
【図２】
0003234438.tif 000004
【手続補正書】
【提出日】令和3年6月22日(2021.6.22)
【手続補正１】
【補正対象書類名】実用新案登録請求の範囲
【補正対象項目名】全文
【補正方法】変更
【補正の内容】
【実用新案登録請求の範囲】
【請求項１】
本体とする円筒に内蔵した付属の樹脂パイプ帯は、簾状の構成を成し自在な巻き込みでの形態を可能とし、クッションや枕としての活用ができることを特徴とする、ドライブ用腰当てクッション兼簡易枕。
【請求項２】
請求項１記載の本体は、弾力性に富んだ素材で、部分的に弾力の調整と通気孔の両用を兼ねた大〜小の孔が、設けられていることを特徴とする、ドライブ用腰当てクッション兼簡易枕。
【請求項３】
請求項１記載の本体に付属の樹脂パイプ帯は、メッシュ布地をベースシートとし、樹脂パイプを簾状に連ね貼り合わせたもので、パイプには無数の小さな通気孔が施されていることを特徴とする、ドライブ用腰当てクッション兼簡易枕。
【請求項４】
請求項１記載の本体及び、付属の樹脂パイプ帯はそれぞれがパイプ仕様により、弾力性に富み通気性も良く、軽量でコンパクトな収納ができることを特徴とする、ドライブ用腰当てクッション兼簡易枕。
(57)【要約】      （修正有）【課題】軽量で折りたたみができ、何処へでも持ち歩く事ができる、ウイルスの飛沫感染防止カバーを提供する。【解決手段】所定の面積と形状をもち軽量で柔軟性を有するプラスチックシート１と、重みのある枠５とからなる飛沫感染防止カバーであって、プラスチックシートの先端部２に補強部をもうけ、折りたたむ箇所に折り目３を付けたプラスチックシートと、重みのある枠とを接合させることで５面を折りたたむと１面となることを特徴とする飛沫感染防止カバー。【選択図】図３
0003234439.tif 000002
【実用新案登録請求の範囲】
【請求項１】
所定の面積と形状をもち軽量で柔軟性を有するプラスチックのシートを用いて、前方となる先端部に補強を行ない、折りたたむ箇所に折り目を付ける。シートを立たせるために重みのある枠を形成して、止具を用いてつなぎ合わせる。シートと重みのある枠を接合させる。５面を折りたたむと１面となるところを特徴とする飛沫防止カバー
【考案の詳細な説明】
【技術分野】
【０００１】  本考案は、飛沫を防止するための机の上に置く飛沫防止カバーである。
【背景技術】
【０００２】  軽量とされているパーテーションは、仕事場などに設置されており、設置された場所で使用可能であった。
【先行技術文献】
【特許文献】
【０００３】
【特許文献１】実用新案登録第３２２８４２９号
【考案の概要】
【考案が解決しようとする課題】
【０００４】  軽量で、折り曲げが出来て、色々な型に変えることが出来、安定しているが、設置されている場所でしか使用する事が出来ない。従って、さらに軽量して折りたたみが出来て何処へでも持ち歩き可能になり、前述の欠点を解決しようとするものである。
【課題を解決するための手段】
【０００５】  軽くて柔軟性を有するシートの材質は、例えばプラスチックの加工がしやすい厚さ０．２ｍｍのポリプロピレンを用いる。シートを立たせるために前方となる先端部に補強を行ない、折りたたむための折り目を付ける。シートを立たせるために鉄線のスチール線を用いて枠を作り、止具でつなぎ合わせ重みのある鉄線の枠となる。外側の鉄線の枠には止具なし、前記シートの内側に止具を用いた鉄線の枠を置き上部を下部と先端部を接合する。シートの外側に止具のない鉄線の枠を置き上部、下部、左部、右部を接合する。シートを折りたたむと５面から１面となり、持ち歩く事が可能となり問題点を解決している。
【考案の効果】
【０００６】  軽いシートと鉄線の枠を用いているのでとても軽く、折りたたむことができるのでコンパクトになり持ち歩く事が出来る。外での食事の時、図書館、会議の時など机の上に置き飛沫感染を防止することができる。
【図面の簡単な説明】
【０００７】
【図１】ポリプロピレンの形状を示す平面図である。
【図２】鉄線の枠に止具を用いた平面図である。
【図３】本考案の飛沫防止カバーの実施例を示す斜視図である。
【図４】本考案の飛沫防止カバーを折りたたんだ実施例を示す斜視図である。
【考案を実施するための形態】
【０００８】  軽くて柔軟性があるポリプロピレンの先端部を補強に必要な幅を折り曲げて接着する。電源が必要になった時のためにコードを通す穴を開ける。折りたたむための折り目をつける。ポリプロピレンの下半分に重みのある鉄線を用いたが、重みのあるポリプロピレンを用いるのも可能である。鉄線の枠を１０個作り鉄線の枠５個に止具を上部を下部２か所ずつ留める。止具には、マスキングテープ、セロテープ又は、薄手のデニム、綿、合成の皮、ポリエステルなど形成して接合する。つなぎ合わせた鉄線をポリプロピレンの内側に置き上部と下部、先端部を接合する。ポリプロピレンの外側に止具なしの鉄線の枠を５個置き上部、下部、左部、右部を接合する。折りたたむ時は右側先端から折り込み左側は後から折り込む、５面から１面となるコンパクトな飛沫防止カバーとなり何処へでも持ち歩く事が出来る。
【実施例】
【０００９】  以下、添付図面に従って一実施例を説明する。ポリプロピレン１の先端部２に補強を行ない、折りたたみに必要な所に折り目３を４箇所つける。電源コードを通す穴４を開ける。ポリプロピレン１を立たせるために鉄線の枠５を１０個作り、内側となる鉄線の枠５に止具６を用いて５個つなぎ合わせる。ポリプロピレンの内側に止具６が付いた鉄線の枠５を置き上部、下部、先端部を接合する。ポリプロピレン１の外側に止具６なしの鉄線の枠５を５個置き上部、下部、左部、右部を接合する。ポロプロピレン１と鉄線の枠５が接合され飛沫防止カバー完成、折りたたむ時は、右先端部２から折り込み左先端部２は後から折り込む、５面から１面となりコンパクトになる。【００１０】  本考案の一実施例は、上述の如き構成からなるものであるから、軽量で折りたたむとコンパクトになる飛沫防止カバーは、手さげ袋などに入れて何処へでも持ち歩く事ができる。外での食事の時、図書館や会議の時などに机の上に置き使用する。自分だけの飛沫防止カバーなので、自分好みの絵が印刷されたカバーを捜して購入したりシールを貼ったり自分で書いたりして自分だけの飛沫防止カバーで楽しい時間を過す事が出来る。
【符号の説明】
【００１１】１  ポリプロピレン（シート）
２  先端部
３  折り目
４  コードを通す穴
５  鉄線の枠
６  止具
【図１】
0003234439.tif 000003
【図２】
0003234439.tif 000004
【図３】
0003234439.tif 000005
【図４】
0003234439.tif 000006
【手続補正書】
【提出日】令和3年6月30日(2021.6.30)
【手続補正１】
【補正対象書類名】実用新案登録請求の範囲
【補正対象項目名】全文
【補正方法】変更
【補正の内容】
【実用新案登録請求の範囲】
【請求項１】
所定の面積と形状をもち軽量で柔軟性を有するプラスチックシートと、重みのある枠とからなる飛沫感染防止カバーであって、プラスチックシートの先端部に補強部をもうけ、折りたたむ箇所に折り目を付けたプラスチックシートと、重みのある枠とを接合させることで５面を折りたたむと１面となることを特徴とする飛沫感染防止カバー。
(57)【要約】      （修正有）【課題】平面状のプランターを積み重ねて立体感を出す場合、または円形のプランターに土を半球状に盛り上げて植え付ける場合と比較して、球状の装飾性を十分に発揮出来る、球状プランターを提供する。【解決手段】中空の球状プランター本体１を作成し、植え付け対象のポット苗に合わせた大きさの円形の植え付け口２、及びその裏に主に苗の根の部分を保持するしなやかなポット状の網を備え、根に着いた土の重さ、及びその網のしなやかさを活かし、苗の垂直方向維持効果を高めることにより、装飾性効果を高めたプランターを提供する。【選択図】図１
0003234436.tif 000002
【実用新案登録請求の範囲】
【請求項１】
一般的なプランター材質と同様なプラスチック製の中空球体に、その球体の赤道線相当部分よりやや下から上部に植え付け対象とするポット苗に合わせた大きさの穴を適度な間隔にて開け、その穴の裏側にカップ状のしなやかな繊維製の網をカップリング具にて簡単にセットが出来、実際のポット苗の植え付けの際、その苗に残った土の重さ、及び網のしなやかさの効果によって、植え付けられた苗の葉の部分が上向きにまた根の部分が下向きにセットされ、さらに当該球状プランターの上部の植木鉢状の蓋を開けて投入される土等の作用にて苗の垂直方向維持効果がより高められることを特徴とする球状プランター。
【考案の詳細な説明】
【技術分野】
【０００１】
本考案は、ポット苗等を効率的に栽培でき、装飾性を備えた球状プランターに関するものである。
【背景技術】
【０００２】
現在市販されているプランターは、そのほとんどが植物を平面的に植え付けるものである。中には立体的なものもあるが、それは平面的なものを積み上げる程度のものである。
【先行技術文献】
【特許文献】
【０００３】
【特許文献１】特許第６３１３３５９号
【考案の概要】
【考案が解決しようとする課題】
【０００４】
平面状のプランターを積み重ねて立体感を出す場合、または円形のプランターに土を半球状に盛り上げて植え付ける場合等では、球状の装飾性を十分に発揮出来ない。
【課題を解決するための手段】
【０００５】
一般的なプランター材質と同様なプラスチックを使用し中空の球状プランターを作成し、植え付け対象とするポット苗に合わせた大きさの穴（一般的な３号ポットの場合直径が９ｃｍ程度）を開け、その穴の裏側に円筒状の網（３号ポットに場合高さが８ｃｍ程度）を設置する。
この球状プランターの上部は、一般的な植木鉢状の蓋を有し、ここにも植物を植えることが出来、蓋を上部に引き抜いた部分から、土とか肥料とかを当該球状プランター内に投入できる。
また、当該球状プランターの底面には水抜き用の小さな穴が開けられている。
このような構造をもつ球状プランターに、植え付け対象とする市販のポット苗をポットから抜き出し、そのまま当該球状プランターの穴にセットし、すべての穴にセットし終わった状態で、上部の蓋を外し、栽培用の土と適度な肥料を投入した後、十分な水やりをすることにより、非常に装飾性の高い球状プランターとして活用できる。
【考案の効果】
【０００６】
平面状プランターの積み重ねとか、円形プランターでの土の盛り上げ等では実現できなかった球状プランターの装飾性は非常に高いものがあり、対象植物として芝桜等を採用した場合は、最高のパフォーマンスを発揮する。
【図面の簡単な説明】
【０００７】
【図１】球状プランターの外観である。
【図２】球状プランターの上部の構造を示したものである。
【図３】球状プランターの底面部の構造を示したものである。
【図４】植物を植え付けるための投入口と、植物の根の部分を保持する網構造を示したものである。
【図５】植物の植え付け時の図である。
【図６】植物の開花時のイメージを表したものである。
【図７】実際の装飾イメージを表したものである。
【考案を実施するための形態】
【０００８】
一般的なプランター材質と同様なプラスチックを使用して中空の球状プランターを作成し、植え付け対象とするポット苗に合わせた大きさの穴をあけ、その穴の裏側に円筒状のしなやかな網を取り付ける。実際にこの穴から植物を植え付ける際は、主に植物の根を保持する網のしなやかさを活かし、植え付ける植物の葉の部分が上向きに、また根の部分が下向きになるように配置される。
この球状プランターの上部は、一般的な植木鉢の形状を有する蓋となっていて、すべての植物投入用の穴から投入が終了した段階で、その蓋を上部に引き抜き、その穴より土とか肥料を投入する。当該蓋部分にも同じ大きさの穴があり、そこに植物を植え付ける。
この球状プランターの下部には、水抜きのための小さな複数の穴を有する。
【実施例】
【０００９】
図１を基にして説明する。
一般的なプランター材質と同様なプラスチックを使用し、中空の球状プランター1を作成する。
植え付け対象とするポット苗に合わせた大きさの穴２を適度な間隔であける。
同じ大きさの穴があいた蓋部分３を有する。
４は重量に耐えうる土台の一例を示す。
【００１０】
図2を基にして説明する。
蓋部分３の形状は中空の円柱形となっていて、その上部は当該球状プランターと一体化できるように設計されている。またその中心には同じ大きさの穴２を有している。
その底面には、水抜き用の小さな複数の穴５を有している。
【００１１】
図3を基にして説明する。
当該球状プランターの底面部には水抜き用の小さな複数の穴６を有する。
【００１２】
図４を基に説明する。
植え付け用の穴２の裏に上部の縁がワイヤーとなっている繊維で編まれたしやかな網８を穴の裏に取り付けられたアタッチメント７によって簡単にセットできる。
【００１３】
図5を基に説明する。
ポットから取り出した苗を植え付けるが、主にその根の部分９を保持する網８のしなやかさと、根に残った土等９の重さにより、苗の葉の部分は上向きに、根の部分は下向きにセットされる。またセットし終わった後に、プランター上部より土を投入することにより、さらにこの傾向（苗の向きが垂直方向に近づく）が大きくなる。
【産業上の利用可能性】
【００１４】
個人のガーデニング利用はもとより、図7で示した例のように、ホテルのロビー等の装飾用、その他イベント会場等の装飾用として幅広く活用されることが期待できる。
【符号の説明】
【００１５】
１  球状プランター本体
２  球状プランターにあけられた苗投入用の穴
３  当該プランターの蓋部分
４  当該プランターの土台例
５  蓋部分の植木鉢構造の底面の水抜き用の穴
６  当該プランター底面の水抜き用の穴
７  苗投入用の穴の裏にセットされた苗保持用の網の取り付けアタッチメント
【図１】
0003234436.tif 000003
【図２】
0003234436.tif 000004
【図３】
0003234436.tif 000005
【図４】
0003234436.tif 000006
【図５】
0003234436.tif 000007
【図６】
0003234436.tif 000008
【図７】
0003234436.tif 000009